(57)【要約】【課題】  高温時にバイメタル環に叩かれた環状板が損傷することのないディスク式スチームトラップを提供する。【解決手段】  内外輪弁座６，７と蓋部材５とにより形成する変圧室４内に弁ディスク９を配置する。外輪弁座７の外周に形成した円錐状の斜面部１４に有端のバイメタル環１５を配置する。バイメタル環１５と弁ディスク９の間に環状板１６を配置する。バイメタル環１５の外側に上面が高温時に拡開したバイメタル環１５の上面よりも上方に位置して環状板１６の外周下面を係止する外ストッパー部１７を形成する。バイメタル環１５の内側に上面を外ストッパー部１７の上面と同一平面に形成して環状板１６の内周下面を係止する内ストッパー部１８を形成する。【選択図】      図１
2009097575.tif 000002
【特許請求の範囲】
【請求項１】
内外輪弁座と蓋部材とにより形成する変圧室内に弁ディスクを配置し、外輪弁座の外周に形成した円錐状の斜面部に有端のバイメタル環を配置すると共に、弁ディスクとバイメタル環の間に環状板を配置し、斜面部と温度変化によるバイメタル環の拡開縮閉作用との協働によって低温時に縮閉したバイメタル環が環状板を介して弁ディスクを内外輪弁座から離座せしめてエアバインディングを解消するディスク式スチームトラップにおいて、バイメタル環の外側に上面が高温時に拡開したバイメタル環の上面よりも上方に位置して環状板の外周下面を係止する外ストッパー部を形成し、バイメタル環の内側に上面を外ストッパー部の上面と同一平面に形成して環状板の内周下面を係止する内ストッパー部を形成したことを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特にバイメタルを用いてエアバインディングを解消できるようにしたものに関する。
【背景技術】
【０００２】
バイメタルを用いてエアバインディングを解消できるようにしたディスク式スチームトラップの基本的構成は、内外輪弁座と蓋部材とにより形成する変圧室内に弁ディスクを配置し、外輪弁座の外周に形成した円錐状の斜面部に有端のバイメタル環を配置すると共に、弁ディスクとバイメタル環の間に環状板を配置し、斜面部と温度変化によるバイメタル環の拡開縮閉作用との協働によって低温時に縮閉したバイメタル環が環状板を介して弁ディスクを内外輪弁座から離座せしめてエアバインディングを解消するものである。このディスク式スチームトラップにおいては、バイメタル環が破損する問題点があった。これは、弁ディスクの内外輪弁座への着座閉弁時の衝撃や排出流体による流動抵抗によって、環状板が高温時に上下に激しく動揺して弁ディスクに叩かれるために、この環状板を介してバイメタル環が弁ディスクに叩かれるためである。
【０００３】
上記の問題点を解決するディスク式スチームトラップが特開平８−２８７８８号公報に開示されている。これは、バイメタル環の外側に上面が高温時に拡開したバイメタル環の上面よりも上方に位置して環状板の外周下面を係止する外ストッパー部を形成したものである。そのため、高温時に拡開して斜面部を下動したバイメタル環の上面よりも上面が上方に位置する外ストッパー部により環状板がバイメタル環よりも上方で係止される。そのため、環状板が上下に激しく動揺して弁ディスクに叩かれても、バイメタル環は環状板を介して弁ディスクに叩かれることがなく損傷することがない。しかしながら、弁ディスクに叩かれる環状板はその外周下面のみが外ストッパー部に衝突するために環状板が損傷する問題点があった。
【特許文献１】特開平８−２８７８８号公報
【発明の開示】
【発明が解決しようとする課題】
【０００４】
解決しようとする課題は、高温時にバイメタル環に叩かれる環状板が損傷することのないディスク式スチームトラップを提供することである。
【課題を解決するための手段】
【０００５】
本発明のディスク式スチームトラップは、内外輪弁座と蓋部材とにより形成する変圧室内に弁ディスクを配置し、外輪弁座の外周に形成した円錐状の斜面部に有端のバイメタル環を配置すると共に、弁ディスクとバイメタル環の間に環状板を配置し、斜面部と温度変化によるバイメタル環の拡開縮閉作用との協働によって低温時に縮閉したバイメタル環が環状板を介して弁ディスクを内外輪弁座から離座せしめてエアバインディングを解消するディスク式スチームトラップにおいて、バイメタル環の外側に上面が高温時に拡開したバイメタル環の上面よりも上方に位置して環状板の外周下面を係止する外ストッパー部を形成し、バイメタル環の内側に上面を外ストッパー部の上面と同一平面に形成して環状板の内周下面を係止する内ストッパー部を形成したことを特徴とする。
【発明の効果】
【０００６】
本発明は、弁ディスクに叩かれる環状板の外周下面と内周下面を外ストッパー部と内ストッパー部に衝突させることにより、環状板が損傷することがないという優れた効果を生じる。
【発明を実施するための最良の形態】
【０００７】
本発明の熱応動式スチームトラップは、バイメタル環の外側に上面が高温時に拡開したバイメタル環の上面よりも上方に位置して環状板の外周下面を係止する外ストッパー部を形成し、バイメタル環の内側に上面を外ストッパー部の上面と同一平面に形成して環状板の内周下面を係止する内ストッパー部を形成したものである。そのため、高温時に拡開して斜面部を下動したバイメタル環の上面よりも上面が上方に位置する外ストッパー部と内ストッパー部により環状板がバイメタル環よりも上方で係止される。そのため、環状板が上下に激しく動揺して弁ディスクに叩かれても、バイメタル環は環状板を介して弁ディスクに叩かれることがなく損傷することがない。また、弁ディスクに叩かれる環状板はその外周下面が外ストッパー部に衝突し内周下面が内ストッパー部に衝突するので損傷することがない。
【実施例１】
【０００８】
上記の技術的手段の具体例を示す実施例を説明する（図１参照）。本体１に同一軸上に入口２と出口３を形成し、この入口２及び出口３と連通する変圧室４を蓋部材５と本体１とで形成する。入口２と出口３の変圧室４側開口端に内輪弁座６と外輪弁座７を同心円状で同一平面に形成してその間に環状溝８を形成する。内外輪弁座６，７に離着座する円板状の弁ディスク９を変圧室４内に配置する。入口２と変圧室４は内輪弁座６に形成した入口通路１０を介して連通し、変圧室４と出口３は環状溝８の一部から形成した出口通路１１を介して連通する。蓋部材４の外側にキャップ１２を被せて空気保温室１３を形成する。
【０００９】
外輪弁座７の外周に円錐状の斜面部１４を形成し、有端のバイメタル環１５を配置すると共に、バイメタル環１５と弁ディスク９の間に環状板１６を配置する。バイメタル環１５の外側に上面が高温時に拡開したバイメタル環１５の上面よりも上方に位置して環状板１６の外周下面を係止する外ストッパー部１７を形成する。バイメタル環１５の内側に上面を外ストッパー部１７の上面と同一平面に形成して環状板１６の内周下面を係止する内ストッパー部１８を形成する。
【００１０】
上記実施例の作動を説明する。トラップ本体が低温の場合、バイメタル環１５は縮閉して斜面部１４を上動し、環状板１６を介して弁ディスク９を持上げて内外輪弁座６，７から離座開弁状態にし、低温の復水や空気を出口通路１１から出口３に排出する。高温復水が流入してくると、バイメタル環１５は拡開して斜面部１４を下動し、これに伴って環状板１６も下動し、環状板１６はバイメタル環１５の上面よりも上方に形成された外ストッパー部１７と内ストッパー部１８により外周下面と内周下面がバイメタル環１５よりも上方で係止される。そのため、環状板１６が上下に激しく動揺して弁ディスク９に叩かれても、バイメタル環１５は環状板１６を介して弁ディスク９に叩かれることがなく損傷することがない。また、弁ディスク９に叩かれる環状板１６はその外周下面が外ストッパー部１７に衝突し内周下面が内ストッパー部１８に衝突するので損傷することがない。
【００１１】
入口通路１０を介して弁ディスク９に作用する入口２側の流体圧力により、弁ディスク９は内外輪弁座６，７から離座開弁し、高温復水を出口通路１１から出口３に排出する。高温復水が排出されて蒸気が内外輪弁座６，７と弁ディスク９の間を高速に通過することによって内外輪弁座６，７と弁ディスク９の間の圧力が低下し、また蒸気が変圧室４に廻り込むことによって変圧室４の圧力が上昇することによって、弁ディスク９が内外輪弁座６，７に着座閉弁して出口通路１１を閉止する。そして、変圧室４内の蒸気が放熱等により凝縮しその蒸気圧力が低下してくると、弁ディスク９は内外輪弁座６，７から離座開弁する。このような開閉弁のサイクルを繰り返す。
【図面の簡単な説明】
【００１２】
【図１】本発明の実施例のディスク式スチームトラップの断面図。
【符号の説明】
【００１３】
１  本体
２  入口
３  出口
４  変圧室
５  蓋部材
６  内輪弁座
７  外輪弁座
８  環状溝
９  弁ディスク
１０  入口通路
１１  出口通路
１２  キャップ
１３  空気保温室
１４  斜面部
１５  バイメタル環
１６  環状板
１７  外ストッパー部
１８  内ストッパー部
【図１】
2009097575.tif 000003